(57)【要約】      （修正有）【課題】タッチ表示装置およびそのタッチパネルを提供する。【解決手段】基板と、基板に、第１方向（Ｘ軸方向）に間隔を空けて設置される複数の検出電極と、隣接する２つの第１検出電極２０を電気的に接続し、第１方向に沿う第１縁３０２、第１方向と異なる第２方向（Ｙ軸方向）に沿う第２縁３０４、および第１縁３０２と第２縁３０４との間に介在する第３縁３０６を有し、第１縁３０２の延長線Ｅ１と第２縁３０４の延長線Ｅ２と第３縁３０６とが一緒にゼロよりも大きい面積の第１区域Ｒ１を取り囲んで形成する少なくとも１つのブリッジ接続部３０とを備える。【選択図】図３Ａ
0003199086.tif 000002
【実用新案登録請求の範囲】
【請求項１】
基板と、
前記基板に、第１方向に間隔を空けて設置される複数の第１検出電極と、
隣接する２つの第１検出電極を電気的に接続し、前記第１方向に沿う第１縁、前記第１方向と異なる第２方向に沿う第２縁、および前記第１縁と前記第２縁との間に介在する第３縁を有し、前記第１縁の延長線と前記第２縁の延長線と前記第３縁とが共にゼロよりも大きい面積の第１区域を取り囲んで形成する少なくとも１つのブリッジ接続部と、
を備えるタッチパネル。
【請求項２】
前記第３縁は、第１ポイントに前記第１縁と接続し、且つ、第２ポイントに前記第２縁と接続し、前記第１縁の延長線が前記第１ポイントから前記第１方向に沿って延長し、前記第２縁の延長線が前記第２ポイントから前記第２方向に沿って延長する請求項１に記載のタッチパネル。
【請求項３】
前記第１縁の延長線が前記第１方向に実質的に平行し、前記第２縁の延長線が前記第２方向に実質的に平行する請求項２に記載のタッチパネル。
【請求項４】
前記第３縁は、直線、凹弧線または凸弧線である請求項１に記載のタッチパネル。
【請求項５】
前記ブリッジ接続部は、前記第３縁に対応する側に斜き側面を有する請求項１に記載のタッチパネル。
【請求項６】
前記基板に前記第２方向に間隔を空けて設置される複数の第２検出電極と、
隣接する２つの第２検出電極を電気的に接続し、且つ前記ブリッジ接続部とは交差する少なくとも１つの第２ブリッジ接続部と、
前記第２ブリッジ接続部と前記ブリッジ接続部との間に設置され、これらの第１検出電極とこれらの第２検出電極を電気的に隔離する少なくとも１つの絶縁部と、
を更に備える請求項１に記載のタッチパネル。
【請求項７】
前記ブリッジ接続部の厚さがこれらの第１検出電極の厚さよりも大きく、且つこれらの第２検出電極の厚さよりも大きい請求項６に記載のタッチパネル。
【請求項８】
前記ブリッジ接続部、絶縁部および前記第２ブリッジ接続部に設置される少なくとも１つのバッファ部を更に備える請求項６に記載のタッチパネル。
【請求項９】
前記バッファ部は、第３方向に沿う第１縁、前記第３方向と異なる第４方向に沿う第２縁、および前記第１縁と前記第２縁との間に介在する第３縁を有し、前記バッファ部の前記第１縁の延長線と前記第２縁の延長線と前記第３縁とが共にゼロよりも大きい面積の第２区域を取り囲んで形成する請求項８に記載のタッチパネル。
【請求項１０】
請求項１に記載のタッチパネルと、
前記タッチパネルに貼り合わせられる表示パネルと、を備えるタッチ表示装置。
【請求項１１】
前記タッチパネルの前記基板は強化ガラス基板である請求項１０に記載のタッチ表示装置。
【請求項１２】
前記基板は、互いに反対方向に向かう第１面と第２面とを有し、前記第１面には、前記表示パネルに向かうように前記第１検出電極が形成されており、前記第２面はタッチ面である請求項１１に記載のタッチ表示装置。
【請求項１３】
強化ガラス基板を更に備え、且つ、前記タッチパネルの前記基板は、互いに反対方向に向かう第１面と第２面とを有しており、前記第１面には、前記強化ガラス基板に向かうよう前記第１検出電極が形成されており、前記第２面には、前記表示パネルが貼り合わせられる請求項１０に記載のタッチ表示装置。
【請求項１４】
前記タッチパネルの前記基板は、カラーフィルター基板またはアレー基板である請求項１０に記載のタッチ表示装置。
【考案の詳細な説明】
【技術分野】
【０００１】
本考案は、タッチ技術に係り、特に、タッチ表示装置およびそのタッチパネルに係る。
【背景技術】
【０００２】
近年、タッチ表示装置は、例えば、携帯電話や個人用デジタル補助装置（ＰＤＡ）、携帯型パソコンなどの様々な電子製品に幅広く応用されている。タッチ表示装置は、一般に、表示パネルと、表示パネルに貼り合わせられるタッチパネルとを備え、ユーザーがタッチ表示装置に表示される画像をタッチすることができ、これによって、メッセージが入力されたり、電子製品が操作されることができる。
【０００３】
伝統的に、タッチパネルに検出信号を発生するためのタッチ電極層が設けられ、そして、例えば、プロセッサによって検出信号を解析して、実際のタッチ位置を算出して取得することができる。タッチ電極層は、一般に、積層された検出電極およびブリッジ接続部を有する。検出電極がブリッジ接続部にスムーズにカバーできないと、タッチ電極層の電気的な表現やプロセスの歩留まりに影響を与え、さらに、タッチパネル全体の信頼性を低減する可能性がある。このため、業界には、前述した問題を解決することができるタッチパネルの構成に飢えている。
【考案の概要】
【０００４】
本考案の一実施例は、基板と、基板に、第１方向に間隔を空けて設置される複数の検出電極と、隣接する２つの第１検出電極を電気的に接続し、第１方向に沿う第１縁、第１方向と異なる第２方向に沿う第２縁、および第１縁と第２縁との間に介在する第３縁を有し、第１縁の延長線と第２縁の延長線と第３縁とが一緒にゼロよりも大きい面積の第１区域を取り囲んで形成する少なくとも１つのブリッジ接続部と、を備えるタッチパネルを提供する。
【０００５】
一実施例において、前記第３縁は、第１ポイントに第１縁と接続し、且つ、第２ポイントに第２縁と接続し、第１縁の延長線が第１ポイントから第１方向に沿って延長し、第２縁の延長線が第２ポイントから第２方向に沿って延長する。
一実施例において、前記第１縁の延長線が第１方向に実質的に平行し、第２縁の延長線が第２方向に実質的に平行する。
一実施例において、前記第３縁は、直線、凹弧線または凸弧線である。
一実施例において、前記ブリッジ接続部の第３縁に対応する側に斜き側面を有する。
一実施例において、前記タッチパネルは、基板に第２方向に間隔を空けて設置される複数の第２検出電極と、隣接する２つの第２検出電極を電気的に接続し、且つブリッジ接続部とは交差する少なくとも１つの第２ブリッジ接続部と、第２ブリッジ接続部とブリッジ接続部との間に設置され、第１検出電極と第２検出電極を電気的に隔離する少なくとも１つの絶縁部とを更に備える。
一実施例において、前記ブリッジ接続部の厚さが第１検出電極の厚さよりも大きく、且つ第２検出電極の厚さよりも大きい。
一実施例において、前記タッチパネルは、ブリッジ接続部、絶縁部および第２ブリッジ接続部に設置される少なくとも１つのバッファ部を更に備える。
一実施例において、前記バッファ部は、第３方向に沿う第１縁、第３方向と異なる第４方向に沿う第２縁、および第１縁と第２縁との間に介在する第３縁を有し、バッファ部の第１縁の延長線と第２縁の延長線と第３縁とが一緒にゼロよりも大きい面積の第２区域を取り囲んで形成する。
本考案の他の実施例は、前記タッチパネルと、タッチパネルに接続される表示パネルと、を備えるタッチ表示装置を提供する。
一実施例において、前記タッチパネルの基板は強化ガラス基板である。
一実施例において、前記基板は、対向する、表示パネルに向かうように第１検出電極が形成される第１面、およびタッチ面である第２面を有する。
一実施例において、前記タッチ表示装置は、強化ガラス基板を更に備え、且つ、タッチパネルの基板は、対向する、強化ガラス基板に向かうように第１検出電極が形成される第１面、および表示パネルが貼り合わせられる第２面を有する。
一実施例において、前記タッチパネルの基板はカラーフィルター基板またはアレー基板である。
【図面の簡単な説明】
【０００６】
【図１】本考案の一実施例に係るタッチパネルを示す部分上面模式図である。
【図２】図１におけるＡ−Ａ’方向に沿って示す断面図である。
【図３Ａ】図１におけるＢ部を示す拡大図である。
【図３Ｂ】本考案の他の実施例のＢ部を示す拡大図である。
【図３Ｃ】本考案の他の実施例のＢ部を示す拡大図である。
【図４】図３ＡにおけるＣ−Ｃ’方向に沿って示す断面図である。
【図５】図１におけるＤ部を示す拡大図である。
【図６Ａ】本考案の他の実施例に係るタッチ表示装置を示す構成関係模式図。
【図６Ｂ】本考案の他の実施例に係るタッチ表示装置を示す構成関係模式図。
【考案を実施するための形態】
【０００７】
上記並びにその他の本考案の目的、特徴および利点をより明らかにするために、以下、好適な実施例を挙げ、添付図面を参照しながら説明する。
【０００８】
以下に?明する本考案の各実施例において、「上」、「下」の方向をいうとき、相対的な位置関係を示すためのものだけで、本考案を制限するためのものではない。第１材料層が第２材料層に位置すると言及するとき、第１材料層と第２材料層とが直接に接触したり、１つまたはより多い他の材料層が介在されている場合も含むこととする。
【０００９】
なお、図面や明細書の記載では、類似や同一の部分には同一の符号が付いている。図面において、簡単化または分かりやすくするように、実施例の形状や厚さを拡大することができる。図面に図示・記載しない素子は、本技術分野において一般的な知識を持つ者が知っている形式である。
【００１０】
図１は本考案の一実施例に係るタッチパネルを示す部分上面模式図であり、図２は図１におけるＡ−Ａ’方向に沿って示す断面図である。図１および図２を共に参照し、本考案の一実施例に係るタッチパネルは、主に、基板１０と、基板１０に形成されるタッチ電極層１とを備える。
【００１１】
タッチ電極層１は、Ｘ軸方向（第１方向）に間隔を空けて設置される複数の第１検出電極２０、およびＹ軸方向（第２方向）に間隔を空けて設置される複数の第２検出電極４０を有し、前述したＸ軸方向がＹ軸方向と異なってよい（例えば相互に垂直する）。図１における第１検出電極２０および第２検出電極４０は八角形に設計されているが、それは三角形、菱形、長方形、六角形、八角形または他の好適な形状も含むことが理解すべきものである。ここで、図１に示す検出電極２０、４０の設計形態によって、共に自己容量式（ｓｅｌｆ−ｃａｐａｃｉｔａｎｃｅ）のタッチ検出電極の構成を構成し、ここで、その第１検出電極２０は、駆動信号をそれぞれ受信して、それぞれプロセッサ（図示しない）へ検出信号を返信し、且つ、第２検出電極４０も駆動信号をそれぞれ受信し、それぞれそのタッチ検知ユニットへ検出信号を返信する。他のタッチ検知操作で、図１に示す検出電極２０、４０の設計形態も共に相互容量式（ｍｕｔｕａｌ−ｃａｐａｃｉｔａｎｃｅ）のタッチ検出電極の構成を構成し、ここで、その検出電極２０、４０の一方は駆動信号を受信するための駆動電極であるが、他方はそのプロセッサへ検出信号を返信するための検出電極である。
【００１２】
タッチ電極層１は、Ｘ軸方向に隣接する２つの第１検出電極２０を電気的に接続するための複数のブリッジ接続部３０と、Ｙ軸方向に隣接する２つの第２検出電極４０を電気的に接続するための複数の第２ブリッジ接続部５０と、複数の絶縁部６０とを備える。因みに、図１および図２に示すように参照し、本実施例における第１検出電極２０は、一部のブリッジ接続部３０の上方（図１に、第１検出電極２０の下方に位置したブリッジ接続部３０の縁を破線で示す）にカバーし、更に、隣接する２つの第１検出電極２０はブリッジ接続部３０を介して電気的な接続を形成することができる。なお、ブリッジ接続部３０と第２ブリッジ接続部５０とは交差（ｃｒｏｓｓｏｖｅｒ）設計を採用し、本実施例における第２ブリッジ接続部５０がブリッジ接続部３０の上方に設置される。なお、ブリッジ接続部３０と第２ブリッジ接続部５０との間に、第１センス電極２０と第２センス電極４０とが相互に電気的に隔離されて短絡しないように、ブリッジ接続部３０と第２ブリッジ接続部５０を仕切るための絶縁部６０が設置されている。したがって、ブリッジ接続部３０の上方に位置する第２ブリッジ接続部５０は架橋構成であってよい。因みに、第２ブリッジ接続部５０は第２検出電極４０と同時に形成されることが好ましく、このため、第２ブリッジ接続部５０の範囲は、図１に示すように、両破線Ｌ１およびＬ２間の範囲である。
【００１３】
これによって、前述したタッチ電極層１によって構成された電極アレーは、検出信号を発生し、ライン層（図示しない）を介して後端のプロセッサへ検出信号を伝送して実際のタッチ位置の算出をすることができる。
【００１４】
補足的に説明すべきなのは、基板１０は、可塑化材料で作製される有機基板やガラス材料で作製される無機基板であってよい。一部の実施例において、基板１０は、同時に、タッチパネルの内部の素子層の保護カバーおよびタッチ電極層１の支持基板として用いられてよい。他の選定された実施形態において、基板１０はカラーフィルター基板やアレー基板であってもよく、基板１０がカラーフィルター基板として選定されると、タッチ電極層１は、カラーフィルター基板のユーザーに向かう表面またはユーザーに背向する表面に形成されることが選定されてよい。また、第１検出電極２０、第２検出電極４０、ブリッジ接続部３０および第２ブリッジ接続部５０の材料は、金属や透明導電材料であってよく、絶縁部６０の材料は、例えば、有機絶縁材料であってもよく、またはエポキシ樹脂、ポリイミドやメチルメタクリレート層等であってもよい。
【００１５】
タッチ電極層１の作製過程を更に説明し、実際の設計において、いかなる従来のプロセスにてタッチ電極層１を形成することもできる。例えば、図１および図２を参照し、タッチ電極層１の形成では、まず、基板１０に沈積プロセスおよびリソグラフィ・エッチングプロセスによって複数のパターニングブリッジ接続部３０が形成され、そして、ブリッジ接続部３０に複数の対応するパターニング絶縁部６０が形成された後、基板１０、ブリッジ接続部３０および絶縁部６０の上方に、タッチ電極層１における複数のＸ軸方向に配列する第１検出電極２０および複数のＹ軸方向に配列する第２検出電極４０、第２ブリッジ接続部５０が一緒に形成される。
【００１６】
本実施例において、ブリッジ接続部３０の厚さが約６００〜４０００オングストローム（Å）であるが、第１検出電極２０、第２検出電極４０および第２ブリッジ接続部５０の厚さが約１５０〜１５００オングストローム（Å）であり、ここで、ブリッジ接続部３０の厚さは、第１検出電極２０、第２検出電極４０および第２ブリッジ接続部５０の厚さの約１．２〜１５倍であることが好ましい。
【００１７】
特に説明すべきなのは、第１検出電極２０が全面的にブリッジ接続部３０にカバーしやすくなって、第１検出電極２０の割れや接触インピーダンスの引上げを回避することができるようにさせるために、本考案の図１および図２のブリッジ接続部３０の４つの隅部は、角欠けの設計を採用した。逆に、従来のブリッジ接続部の４つの隅部が鋭い角や直角の設計を採用した場合、第１検出電極２０が全面的にブリッジ接続部３０にカバーしやすくないため、第１検出電極２０の割れや接触インピーダンスの引上げの可能性を招き、また、タッチ電極層１の電気的な表現（即ちタッチ検出機能）に影響を与えた。このため、本実施例におけるブリッジ接続部３０の４つの隅部は、角欠けの設計を更に有することによって、第１検出電極２０が全面的にブリッジ接続部３０にカバーし、且つ、先端放電を低減してタッチ電極層１の信頼性を向上することができる。
【００１８】
図１におけるＢ部を示す拡大図である図３Ａを参照する。図３Ａから、ブリッジ接続部３０は、Ｘ軸方向に沿う第１縁３０２、Ｙ軸方向に沿う第２縁３０４、および第１縁３０２と第２縁３０４との間に介在する第３縁３０６を有し、第１縁３０２と第３縁３０６が第１ポイントＰ１に接続し、第２縁３０４と第３縁３０６が第２ポイントＰ２に接続することが明らかになった。なお、第１縁３０２の延長線Ｅ１が第１ポイントＰ１からＸ軸方向に沿って延長し、第２縁３０４の延長線Ｅ２が第２ポイントＰ２からＹ軸方向に沿って延長してよい。もっと確実に言えば、第１縁３０２の延長線Ｅ１がＸ軸方向に実質的に平行し、第２縁３０４の延長線Ｅ２がＹ軸方向に実質的に平行する。これによって、第１縁３０２の延長線Ｅ１と第２縁３０４の延長線Ｅ２と第３縁３０６とが一緒にゼロよりも大きい面積の第１区域Ｒ１を取り囲んで形成することで、ブリッジ接続部３０の４つの隅部の角欠け設計を実現することができる。図３Ａにおける第３縁３０６は直線であるが、それは凹弧線（図３Ｂ）や凸弧線（図３Ｃ）であってもよい。
【００１９】
また、本実施例におけるブリッジ接続部３０の第１縁３０２、第２縁３０４（図示しない）および第３縁３０６（図３ＡにおけるＣ−Ｃ’方向に沿って示す断面図である図４を参照する）の側壁は、第１検出電極２０が全面的にブリッジ接続部３０に更にカバーしやすくなるように、それぞれ斜き側面Ｔの設計を更に有してよい。
【００２０】
次に、再び、図１および図２を共に参照し、本実施例のタッチパネルは、タッチ電極層１におけるブリッジ接続部３０、絶縁部６０および第２ブリッジ接続部５０の上方に設置され、例えば、有機材料?層（ｏｒｇａｎｉｃ  ｍａｔｅｒｉａｌ  ｃｏａｔｉｎｇ）であるバッファ層７０を更に備える。これによって、バッファ層７０はプロセスでのタッチ電極層１の傷つきを回避することができる。
【００２１】
なお、バッファ層７０の４つの隅部は、角欠けの設計を更に有する。図１におけるＤ部を示す拡大図である図５を参照する。図５から、バッファ部７０は、第３方向Ｄ１（Ｘ軸およびＹ軸方向と異なる）に沿う第１縁７０２、第３方向Ｄ１と異なる第４方向Ｄ２（Ｘ軸およびＹ軸方向と異なる）に沿う第２縁７０４、および第１縁７０２と第２縁７０４との間に介在する第３縁７０６を有し、第１縁７０２と第３縁７０６が第３点Ｐ３に接続し、第２縁７０４と第３縁７０６が第４点Ｐ４に接続することが明らかになった。なお、バッファ部７０の第１縁７０２の延長線Ｅ３が第３点Ｐ３から第３方向Ｄ１に沿って延長し、第２縁７０４の延長線Ｅ４が第４点Ｐ４から第４方向Ｄ２に沿って延長してよい。もっと確実に言えば、第１縁７０２の延長線Ｅ３が第３方向Ｄ１に実質的に平行し、第２縁７０４の延長線Ｅ４が第４方向Ｄ２に実質的に平行する。これによって、バッファ部７０の第１縁７０２の延長線Ｅ３と第２縁７０４の延長線Ｅ４と第３縁７０６とが一緒にゼロよりも大きい面積の第２区域Ｒ２を取り囲んで形成することで、バッファ層７０の４つの隅部の角欠け設計を実現することができる。
【００２２】
因みに、タッチ電極層１におけるブリッジ接続部３０、絶縁部６０および第２ブリッジ接続部５０の上方にバッファ層７０が形成された後、続いてタッチパネルに表示パネルが貼り合わせられてタッチ表示装置の取組みを完成することができるように、バッファ層７０の上方に透明接着層が更に提供されてよい。このため、前述したバッファ層７０の４つの隅部の角欠け設計は、透明接着層が全面的にバッファ層７０の上方にカバーすることに寄与し、透明接着層とバッファ層７０との隙間での気泡の形成を回避し、更に、タッチパネルの光学効果を改善することもできる。
【００２３】
図６Ａおよび図６Ｂは本考案の他の実施例に係るタッチ表示装置をそれぞれ示す構成?系模式図。
【００２４】
図６Ａの実施例において、タッチ表示装置は、主に、前述したようなタッチパネルおよび表示パネルＳを有し、タッチパネルの基板１０は、強化ガラス基板であり、傷つきの防止、タッチ電極層１の保護および飾りの役割を有し、且つ、対向する、表示パネルＳに向かうようにタッチ電極層１（第１、第２検出電極を含む）が形成される第１面１０Ａ、および指やタッチペンでタッチ操作をするためのタッチ面である第２面１０Ｂを有する。本実施例において、基板１０は、同時に、タッチパネルの内部の素子層の保護カバーおよびタッチ電極層１の支持基板として用いられてよい。また、図６Ａに、タッチパネルと表示パネルＳを接着するための透明接着層が省略された。
【００２５】
図６Ｂの実施例において、タッチ表示装置は、主に、強化ガラス基板Ｌ、前述したようなタッチパネルおよび表示パネルＳを備え、タッチパネルの基板１０は、対向する、強化ガラス基板Ｌに向かうようにタッチ電極層１（第１、第２検出電極を含む）が形成される第１面１０Ａ、および表示パネルＳが貼り合わせられる第２面１０Ｂを有する。本実施例において、強化ガラス基板Ｌは、タッチ面を提供すると共に、タッチパネルおよび表示パネルＳを保護することができる。また、図６Ｂに、強化ガラス基板Ｌ、タッチパネルおよび表示パネルＳを接着するための複数の透明接着層が省略された。
【００２６】
補足的に説明すべきなのは、前述した実施例に、ブリッジ接続部３０およびバッファ部７０の４つの隅部のみは角欠けの設計を有するが、続きのプロセスに用いられる材料層が全面的に第２ブリッジ接続部５０および絶縁部６０にカバーできることに寄与し、タッチパネル全体のプロセスの歩留まりおよび信頼性を向上することができるようにさせるために、第２ブリッジ接続部５０および絶縁部６０の４つの隅部も角欠けの設計を有してよい。
【００２７】
上述したように、本考案は、基板と、基板に、第１方向に間隔を空けて設置される複数の検出電極と、隣接する２つの第１検出電極を電気的に接続し、第１方向に沿う第１縁、第１方向と異なる第２方向に沿う第２縁、および第１縁と第２縁との間に介在する第３縁を有し、第１縁の延長線と第２縁の延長線と第３縁とが一緒にゼロよりも大きい面積の第１区域を取り囲んで形成する少なくとも１つのブリッジ接続部とを備えるタッチパネル、およびそのタッチパネルを提供する。前述した構成設計（角欠け設計）によって、従来の検出電極がブリッジ接続部にスムーズにカバーできない問題を克服でき、タッチ電極層の電気的な表現およびプロセスの歩留まりを安定し、更に、タッチパネル全体の信頼性を向上することができる。
【００２８】
本考案は、前記した実施例によって開示されたが、それは本考案を限定するものではない。本技術分野において一般的な知識を持つ者であれば、考案の精神や範囲から逸脱しない限り、僅かの変更や飾りをしてよい。このため、本考案の保護範囲は、添付した請求の範囲によって分画されたものに準ずる。
【符号の説明】
【００２９】
１：タッチ電極層
１０：基板
１０Ａ：第１面
１０Ｂ：第２面
２０：第１検出電極
３０：ブリッジ接続部
３０２：第１縁
３０４：第２縁
３０６：第３縁
４０：第２検出電極
５０：第２ブリッジ接続部
６０：絶縁部
７０：バッファ部
７０２：第１縁
７０４：第２縁
７０６：第３縁
Ｄ１：第３方向
Ｄ２：第４方向
Ｅ１：延長線
Ｅ２：延長線
Ｅ３：延長線
Ｅ４：延長線
Ｌ１、Ｌ２：破線
Ｐ１：第１ポイント
Ｐ２：第２ポイント
Ｐ３：第３点
Ｐ４：第４点
Ｒ１：第１区域
Ｒ２：第２区域
Ｓ：表示パネル
Ｔ：斜き側面
Ｗ１：第１距離
Ｗ２：第２距離
【図１】
0003199086.tif 000003
【図２】
0003199086.tif 000004
【図３Ａ】
0003199086.tif 000005
【図３Ｂ】
0003199086.tif 000006
【図３Ｃ】
0003199086.tif 000007
【図４】
0003199086.tif 000008
【図５】
0003199086.tif 000009
【図６Ａ】
0003199086.tif 000010
【図６Ｂ】
0003199086.tif 000011